(57)【特許請求の範囲】
【請求項１】
所定の大きさのコンクリート板にトラス筋が適宜間隔をもって配筋され、該トラス筋の一部が前記コンクリート板の一面から突出し、該突出したトラス筋の間に軽量型枠が適宜間隔ごとに配設され、該軽量型枠におけるトラス筋に沿った縦方向の配設間隔のうちの少なくとも一列に他の軽量型枠のトラス筋に沿った縦方向の配設間隔よりも広い配設間隔が形成されたことを特徴とするプレキャストコンクリート板。
【請求項２】
広い配設間隔はコンクリート板の中央部に設けられたことを特徴とする請求項１に記載のプレキャストコンクリート板。
【請求項３】
所定の大きさのコンクリート板にトラス筋が適宜間隔をもって配筋され、該トラス筋の一部が前記コンクリート板の一面から突出し、該突出したトラス筋の間に軽量型枠が適宜間隔ごとに配設され、該軽量型枠におけるトラス筋に沿った縦方向の配設間隔のうちの少なくとも一列に他の軽量型枠のトラス筋に沿った縦方向の配設間隔よりも広い配設間隔が形成されたプレキャストコンクリート板が形成され、該プレキャストコンクリート板を梁間に隣接状態で複数配設することにより広い配設間隔が繋ぎ合わされてスラブ全体に広い配設間隔が形成され、該広い配設間隔全長にわたって、プレキャストコン
クリート板同士の接合部における近接したトラス筋の配筋間隔と同一の配筋間隔で連結筋が配筋されてトップコンクリートが打設されてなることを特徴とするコンクリートスラブ。
【請求項４】
隣接したプレキャストコンクリート板同士の軽量型枠がそれぞれ異なる大きさであることを特徴とする請求項３に記載のコンクリートスラブ。
【請求項５】
プレキャストコンクリート板のうちの少なくとも一つのプレキャストコンクリート板にそれぞれ異なる大きさの軽量型枠を配設したことを特徴とする請求項３または４に記載のコンクリートスラブ。
【請求項６】
連結筋はトラス筋であることを特徴とする請求項３〜５のいずれかに記載のコンクリートスラブ。
【請求項７】
請求項３のコンクリートスラブを備えたことを特徴とする構築物。
【発明の詳細な説明】
【０００１】
【発明の属する技術分野】
本発明はプレキャストコンクリート板、コンクリートスラブおよび構築物に関するものである。
【０００２】
【従来の技術】
鉄筋コンクリート造などの建物は、ほとんどがプレキャストコンクリート板によりコンクリートスラブを構築しており、このコンクリートスラブを軽量にするために、図１５の（１）に示すような、トラス筋２１間に軽量型枠２２を配設したプレキャストコンクリート板２３が多く使用されている。このプレキャストコンクリート板２３においては軽量型枠２２のほとんどが均等間隔ごとに配設されている。そして、同図の（２）に示すように、このプレキャストコンクリート板２３を梁２４間に隣接状態で敷設し、軽量型枠２２の間隙部２５にトラス筋２１と直交する連結筋２６が配筋されてコンクリートスラブ２７を形成している。
【０００３】
【発明が解決しようとする課題】
しかし、軽量型枠が配設されたプレキャストコンクリート板を梁間に隣接状態で複数配置すると、プレキャストコンクリート板同士の接合部にだけトラス筋が近接して配筋されるためコンクリートスラブ全体としてアンバランスな配筋となっていた。
【０００４】
本発明はこれらの問題に鑑みてなされたものであり、その目的は、軽量型枠が配設されたプレキャストコンクリート板でコンクリートスラブを構築する場合に、コンクリートスラブ全体としてバランスのとれた配筋ができるプレキャストコンクリート板、コンクリートスラブおよび構築物を提供することである。
【０００５】
【課題を解決するための手段】
以上の課題を解決するための手段は、プレキャストコンクリート板が、所定の大きさのコンクリート板にトラス筋が適宜間隔をもって配筋され、該トラス筋の一部が前記コンクリート板の一面から突出し、該突出したトラス筋の間に軽量型枠が適宜間隔ごとに配設され、該軽量型枠におけるトラス筋に沿った縦方向の配設間隔のうちの少なくとも一列に他の軽量型枠のトラス筋に沿った縦方向の配設間隔よりも広い配設間隔が形成されたことを特徴とする。また広い配設間隔はコンクリート板の中央部に設けられたことを含むものである。
またコンクリートスラブが、所定の大きさのコンクリート板にトラス筋が適宜間隔をもって配筋され、該トラス筋の一部が前記コンクリート板の一面から突出し、該突出したトラス筋の間に軽量型枠が適宜間隔ごとに配設され、該軽量型枠におけるトラス筋に沿った縦方向の配設間隔のうちの少なくとも一列に他の軽量型枠のトラス筋に沿った縦方向の配設間隔よりも広い配設間隔が形成されたプレキャストコンクリート板が形成され、該プレキャストコンクリート板を梁間に隣接状態で複数配設することにより広い配設間隔が繋ぎ合わされてスラブ全体に広い配設間隔が形成され、該広い配設間隔全長にわたって、プレキャストコンクリート板同士の接合部における近接したトラス筋の配筋間隔と同一の配筋間隔で連結筋が配筋されてトップコンクリートが打設されてなることを特徴とする。また隣接したプレキャストコンクリート板同士の軽量型枠がそれぞれ異なる大きさであることを含む。またプレキャストコンクリート板のうちの少なくとも一つのプレキャストコンクリート板にそれぞれ異なる大きさの軽量型枠を配設したことを含む。また連結筋はトラス筋であることを含むものである。
また構築物は、上記のコンクリートスラブを備えたことを特徴とする。
【０００６】
コンクリート板の中央部に他の軽量型枠の配設間隔より広い配設間隔部が形成されると、この両側には軽量型枠が均等に配置された軽量型枠群が形成される。またコンクリート板に広い配設間隔部が複数形成されると、軽量型枠が均等に配置された軽量型枠群が複数形成される。
【０００７】
広い配設間隔部のあるプレキャストコンクリート板を梁間に配設してコンクリートスラブを構築すると、プレキャストコンクリート板の接合部に近接して配筋されたトラス筋に対向した鉄筋を、前記広い配設間隔に配筋できるのでコンクリートスラブ全体がバランスのとれた配筋となる。
【０００８】
【発明の実施の形態】
以下、本発明のプレキャストコンクリート板、コンクリートスラブおよび構築物の実施の形態を図面に基づいて説明する。図１はプレキャストコンクリート板の平面図、図２は図１のａ−ａ線断面図、図３は同ｂ−ｂ線断面図である。
【０００９】
図１はプレキャストコンクリート板（以下、薄肉ＰＣ板という）１を示し、平面矩形のコンクリート板２と、トラス筋３と、軽量型枠４とから構成されている。
【００１０】
薄肉ＰＣ板１は所定の大きさおよび所定の厚さを備えたものであり、コンクリート板２の長辺方向に沿った４本のトラス筋３が適宜間隔ごとに配筋されている。
【００１１】
このトラス筋３は、三角形状に配置された一本の上弦筋（トップ筋）５と二本の下弦筋（下端筋）６が波形のラチス筋７で接合されたトラスであり、トラス筋３の一部がコンクリート板２の一面から突出しているとともに、前記下弦筋６がコンクリート板２内に埋設されて曲げ補強筋８に接合されている。なお、トラス筋３は上記のようなものに限定されず、一本の上弦筋と一本の下弦筋を波型のラチス筋で接合したトラスであってもよい。
【００１２】
これらのトラス筋３間には軽量型枠４が適宜間隔ごとに配設され、この配設間隔のうちのトラス筋３に沿った縦方向の一列、すなわちコンクリート板２の長辺方向の中央部における配設間隔が、他の縦方向の配設間隔よりも広くなっており、一対の連結筋が配筋できる程度の広い配設間隔９となっており、この両側には軽量型枠４が均等に配設された軽量型枠群１０が形成されている。なお、上記のようにトラス筋３に沿った縦方向の一列を他よりも広い配設間隔９としたものが、最も好ましい実施の形態であるが、本発明はこのようなものに限定されず、トラス筋３と直交する方向に広い配設間隔９を設けることもできる。
【００１３】
この軽量型枠４は軽量で、かつトラス筋３よりやや低く形成され、打設されるコンクリートによって圧壊しないものが用いられる。具体的には、発泡ポリスチレンのようなビーズ型内発泡成形による合成樹脂発泡成形品が使用されるが、その他にもエチレン系樹脂、プロピレン系樹脂等からなる発泡成形品等を使用することも可能である。なお、軽量型枠４の材質としては、コンクリートに対して軽量であれば特に限定されるものではなく、中空鋼管であってもよい。
【００１４】
図４の（１）は、広い配設間隔９の両側に、これよりも狭い配設間隔１２で軽量型枠４を均等に配置した薄肉ＰＣ板１である。また同図の（２）は、大型の軽量型枠１４を均等に配置した薄肉ＰＣ板１である。前記（１）の薄肉ＰＣ板１は、軽量型枠４を小割にしたので連結筋が配筋できる間隙部１２が多数形成できた。
【００１５】
図５の（１）は３本のトラス筋３間に小割の軽量型枠４を配設した薄肉ＰＣ板１である。また同図の（２）は、５本のトラス筋３間に小割の軽量型枠４を配設した薄肉ＰＣ板１である。このようにトラス筋３の配筋数に応じた数の軽量型枠４を配設することができる。また同図の（３）は両側に小割の軽量型枠４が配設され、これで挟まれた中央部には大型の軽量型枠１４が配設された薄肉ＰＣ板１である。この薄肉ＰＣ板１には両側にだけ連結筋１１が配筋できる間隙部１２が形成されている。
【００１６】
さらに図６の（１）は、広い配設間隔９を２箇所に設け、この両側にこれよりも狭い配設間隔で軽量型枠４が配設された軽量型枠群１０が形成されている。
【００１７】
また同図の（２）は、広い配設間隔９を３箇所に設け、この両側にこれよりも狭い配設間隔で軽量型枠４が配設された軽量型枠群１０が形成されている。このように広い配設間隔９を必要に応じて任意の数だけ設けることにより、連結筋を配筋する間隙部を十分に確保できる。
【００１８】
次に、上記のような薄肉ＰＣ板１を使用して構築したコンクリートスラブを、図７〜図１０に基づいて説明する。
【００１９】
図７は、図１の薄肉ＰＣ板１を梁１６間に隣接して２枚設置した状態を示し、２枚が１組となって縦横の長さが同じ正方形の薄肉ＰＣ板ユニット１７Ａを形成している。この薄肉ＰＣ板ユニット１７Ａの中央部における縦方向および横方向には広い配設間隔９ａ、９ｂが縦横に交差して形成されている。前記縦方向の広い配設間隔９ａは薄肉ＰＣ板１同士が接合して形成されるとともに、横方向の広い配設間隔９ｂは各薄肉ＰＣ板１の広い配設間隔９が繋合わされて形成されている。
【００２０】
このように薄肉ＰＣ板１を梁１６間に敷き詰めると、図８に示すように、４組の薄肉ＰＣ板ユニット１７Ａ、１７Ｂ、１７Ｃ、１７Ｄが形成され、各ユニットの中央部には縦横方向に広い配設間隔９ａ、９ｂが交差して形成されている。そして、これら各ユニットの広い配設間隔９ａ、９ｂがそれぞれ繋合わされてコンクリートスラブ１８全体に広い配設間隔９ａ、９ｂが縦横方向に適宜間隔ごとに形成されている。
【００２１】
これら薄肉ＰＣ板ユニット１７Ａ、１７Ｂ、１７Ｃ、１７Ｄの各薄肉ＰＣ板１にはトラス筋３が等間隔をもって配筋されるとともに、薄肉ＰＣ板１同士の接合部における広い配設間隔９ａにはトラス筋３ａが近接した状態で配筋されている。そして、この近接したトラス筋３ａに対応した連結筋１１が前記広い配設間隔９ｂに配筋されるとともに、他のトラス筋３に対応した連結筋１３が各軽量型枠４間に配筋されている。このことにより薄肉ＰＣ板ユニット１７Ａ、１７Ｂ、１７Ｃ、１７Ｄとしても、コンクリートスラブ１８全体としてもバランスのとれた配筋となっている。前記広い配設間隔９ｂにおける連結筋１１の配筋間隔は、近接したトラス筋３ａの配筋間隔と同一であるが、この配筋間隔よりも広く、あるいは狭くすることもできる。なお、前記連結筋１１、１３はトラス筋に限らず、単なる異形鉄筋であってもよい。
【００２２】
このように各薄肉ＰＣ板ユニット１７Ａ、１７Ｂ、１７Ｃ、１７Ｄとしても、コンクリートスラブ１８全体としてもバランスのよい配筋となっているため、コンクリートスラブ１８全体としてバランスよい強度が確保され、かつコンクリートスラブ１８に作用する荷重が縦横両方向、すなわちトラス筋３、３ａおよび連結筋１１、１３に沿って流れることになる。
【００２３】
また、これらの薄肉ＰＣ板ユニット１７Ａ、１７Ｂ、１７Ｃ、１７Ｄの上には、スラブ上端筋（図示せず）が配筋され、その上にトップコンクリート（図示せず）が打設される。
【００２４】
図１１および図１２は、周辺部に小割の軽量型枠４を配置したコンクリートスラブ１８であり、図１１は、小割の軽量型枠４の薄肉ＰＣ板１を左右両側に配置し、大型の軽量型枠１４の薄肉ＰＣ板１を中央部にそれぞれ配置したコンクリートスラブ１８である。一方、図１２のコンクリートスラブ１８は、一部に小割の軽量型枠４がある薄肉ＰＣ板１を中央部に配置した以外は、図１２のコンクリートスラブ１８と同一の構成である。これらのコンクリートスラブ１８は、大きなせん断力が作用する周辺部において荷重を縦横両方向、すなわちトラス筋３、３ａおよび連結筋１１、１３に沿って流すことができる。
【００２５】
図１３は、図１に示す薄肉ＰＣ板１を使用した一住戸の共同住宅のコンクリートスラブ１９であり、これも図８に示すコンクリートスラブ１８と同様の効果を奏することができる。
【００２６】
また、図１４は、図１１および図１２と同様に、周辺部に小割の軽量型枠４を配置した、一住戸の共同住宅のコンクリートスラブ２０であり、一住戸であるということ以外は前記と同一の構成である。したがって、これらのコンクリートスラブ２０も前記と同様に大きなせん断力が作用する周辺部において荷重を縦横両方向、すなわちトラス筋３、３ａおよび連結筋１１、１３に沿って流すことができる。
【００２７】
上記のコンクリートスラブ１８を使用して鉄骨造、鉄筋コンクリート造、鉄骨鉄筋コンクリート造の構築物を構築すると、全体としてバランスのよい配筋のコンクリートスラブ１８を備えた構築物となる（図示せず）。
【００２８】
【発明の効果】
薄肉ＰＣ板を隣接して梁間に設置した場合、その接合部に近接して配筋されたトラス筋に対応した鉄筋を配筋する間隙部が形成できる。
【００２９】
薄肉ＰＣ板の広い配設間隔に、トラス筋と直交した鉄筋を複数本配筋できる。
【００３０】
広い配設間隔を形成することにより、軽量型枠の配設形態を任意に設定することができる。
【００３１】
広い配設間隔の両側における軽量型枠を任意の大きさとすることにより、トラス筋と直交した鉄筋の配筋間隔を任意に設定できる。
【００３２】
広い配設間隔をコンクリート板の中央部に設けたことにより、均等に配置された軽量型枠群が形成できる。
【００３３】
薄肉ＰＣ板同士の接合部における近接したトラス筋と対応した連結筋を、広い配設間隔に配筋することにより、コンクリートスラブ全体としてバランスのよい配筋ができる。
【００３４】
薄肉ＰＣ板同士の接合部における近接したトラス筋と対応した連結筋を、広い配設間隔に配筋するとともに、他のトラス筋に対応した連結筋を、各軽量型枠間に配筋することにより、コンクリートスラブ全体としてバランスのよい配筋ができる。
【００３５】
広い配設間隔の間隔を任意に設定することにより、ここに配筋される鉄筋の数および配筋間隔を任意に設定することができる。
【００３６】
小割の軽量型枠の薄肉ＰＣ板をコンクリートスラブの周辺部に設置することにより、大きなせん断力が作用する周辺部において荷重を縦横両方向、すなわちトラス筋および連結筋に沿って流すことができる。
【００３７】
コンクリートスラブの荷重をトラス筋および連結筋にそって流すことができるので、荷重が特定の箇所に集中せずに均等に分散できる。
【００３８】
全体としてバランスのよい配筋のコンクリートスラブを備えた構築物を提供できる。
【図面の簡単な説明】
【図１】薄肉ＰＣ板の平面図である。
【図２】図１のａ−ａ線断面図である。
【図３】図１のｂ−ｂ線断面図である。
【図４】（１）及び（２）は他の薄肉ＰＣ板の平面図である。
【図５】（１）、（２）、（３）は他の薄肉ＰＣ板の平面図である。
【図６】（１）及び（２）は他の薄肉ＰＣ板の平面図である。
【図７】２枚の薄肉ＰＣ板を梁間に近接状態で設置した平面図である。
【図８】薄肉ＰＣ板を梁間に設置した平面図である。
【図９】図８のｃ−ｃ線断面図である。
【図１０】図８のｄ−ｄ線断面図である。
【図１１】薄肉ＰＣ板を梁間に設置した平面図である。
【図１２】薄肉ＰＣ板を梁間に設置した平面図である。
【図１３】薄肉ＰＣ板を梁間に設置した平面図である。
【図１４】（１）および（２）は薄肉ＰＣ板を梁間に設置した平面図である。
【図１５】（１）は従来の薄肉ＰＣ板の平面図、（２）は薄肉ＰＣ板を梁間に設置した平面図である。
【符号の説明】
１、１７、２３  薄肉ＰＣ板
２  コンクリート板
３、２１  トラス筋
４、２２  軽量型枠
５  上弦筋
６  下弦筋
７  ラチス筋
８  曲げ補強筋
９  広い配設間隔
１０  軽量型枠群
１１、１２、２６  連結筋
１３、２５  間隙部
１４  大型の軽量型枠
１６、２４  梁
１８、１９、２０  コンクリートスラブ
【図１】
0003813717.tif 000002
【図２】
0003813717.tif 000003
【図３】
0003813717.tif 000004
【図４】
0003813717.tif 000005
【図５】
0003813717.tif 000006
【図６】
0003813717.tif 000007
【図７】
0003813717.tif 000008
【図８】
0003813717.tif 000009
【図９】
0003813717.tif 000010
【図１０】
0003813717.tif 000011
【図１１】
0003813717.tif 000012
【図１２】
0003813717.tif 000013
【図１３】
0003813717.tif 000014
【図１４】
0003813717.tif 000015
【図１５】
0003813717.tif 000016